Podtech/llm-jp-corpus-v4-ja_patent huggingface dataset:
【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
硫黄、１種以上の硫黄誘導体および皮膚科学的に許容し得るキャリアを含有する皮膚ダニの侵襲を治療または予防するための組成物。
【請求項２】
塗布後に皮膚から洗い流すことを特徴とする請求項１に記載の組成物。
【請求項３】
塗布後に皮膚から再度洗い流すことを特徴とする請求項２に記載の組成物。
【請求項４】
クレンザーをさらに含む請求項１に記載の組成物。
【請求項５】
６．５〜８．１のｐＨを有する請求項１に記載の組成物。
【請求項６】
約７．０〜約８．１のｐＨを有する請求項１、２、あるいは３に記載の組成物。
【請求項７】
約７．７〜約８．１のｐＨを有する請求項１、２、あるいは３に記載の組成物。
【請求項８】
約７．３〜約７．７のｐＨを有する請求項１、２、あるいは３に記載の組成物。
【請求項９】
６．５〜８．１のｐＨのクレンザーを含む請求項１、２、あるいは３に記載の組成物。
【請求項１０】
硫黄誘導体が１つ以上のカチオン性硫黄化合物を含む請求項１に記載の組成物。
【請求項１１】
硫黄誘導体が硫化セレン、硫化カリウム、多硫化カリウム、および多硫化カルシウム；Ｈ2Ｓ、硫酸；二硫化物；二酸化硫黄；チオール；有機塩；スルファセタミドナトリウム；亜硫酸塩；およびメルカプタンからなる群の１つ以上を含む請求項１に記載の組成物。
【請求項１２】
硫黄誘導体がスルファセタミドナトリウムを含む請求項１に記載の組成物。
【請求項１３】
６．５〜８．１のｐＨのクレンザーを含み、そして硫黄誘導体がスルファセタミドナトリウムを含む請求項１、２、あるいは３に記載の組成物。
【請求項１４】
硫黄誘導体が約１０％の範囲で存在する請求項１１に記載の組成物。
【請求項１５】
６．５〜８．１のｐＨのクレンザーを含み、そして硫黄誘導体が約１０％の範囲で存在するスルファセタミドナトリウムを含み、そして硫黄が約５％の範囲で存在する請求項１、２、あるいは３に記載の組成物。
【請求項１６】
ダニがＤｅｍｏｄｅｘ属のものである請求項１に記載の組成物。
【請求項１７】
皮膚科学的に許容し得るキャリアが水性基剤を含む請求項１に記載の組成物。
【請求項１８】
高吸収基剤を含む請求項１に記載の組成物。
【請求項１９】
高吸収基剤が非膨潤性粘土、ガム、膨潤性粘土およびケイ素からなる群の１つ以上を含む請求項１８に記載の組成物。
【請求項２０】
非膨潤性粘土がカオリンを含む請求項１９に記載の組成物。
【請求項２１】
非膨潤性粘土が約１８．００％で存在する請求項１９に記載の組成物。
【請求項２２】
ガムがキサンタンガムを含む請求項１９に記載の組成物。
【請求項２３】
ガムが約０．３０％で存在する請求項１９に記載の組成物。
【請求項２４】
膨潤性粘土がケイ酸マグネシウムアルミウムを含む請求項１９に記載の組成物。
【請求項２５】
膨潤性粘土が約１．５０％で存在する請求項１９に記載の組成物。
【請求項２６】
ケイ素が二酸化ケイ素を含む請求項１９に記載の組成物。
【請求項２７】
ケイ素が約５．００％で存在する請求項１９に記載の組成物。
【請求項２８】
水を更に含む請求項１９に記載の組成物。
【請求項２９】
水が約４０−５０％で存在する請求項１９に記載の組成物。
【請求項３０】
約５％の硫黄、約１０％のスルファセタミドナトリウムおよび皮膚科学的に許容し得る
キャリアを含むクレンザーを含んでなり、約６．５〜８．１のｐＨを有する皮膚ダニの侵襲を治療もしくは予防するための組成物。
【請求項３１】
硫黄、１つ以上の硫黄誘導体および皮膚科学的に許容し得るキャリアを含有する皮膚ダニの侵襲に関連する皮膚炎症を低減するための組成物。
【請求項３２】
塗布後に皮膚から洗い流すことを特徴とする請求項３１に記載の組成物。
【請求項３３】
塗布後に皮膚から再度洗い流すことを特徴とする請求項３２に記載の組成物。
【請求項３４】
クレンザーをさらに含む請求項３１に記載の組成物。
【請求項３５】
約７．０〜約８．１のｐＨを有する請求項３１、３２、あるいは３３に記載の組成物。
【請求項３６】
約７．７〜約８．１のｐＨを有する請求項３１、３２、あるいは３３に記載の組成物。
【請求項３７】
約７．３〜約７．７のｐＨを有する請求項３１、３２、あるいは３３に記載の組成物。
【請求項３８】
６．５〜８．１のｐＨのクレンザーを含む請求項３１、３２、あるいは３３に記載の組成物。
【請求項３９】
硫黄誘導体が１つ以上のカチオン性硫黄化合物を含む請求項３１に記載の組成物。
【請求項４０】
硫黄誘導体が硫化セレン、硫化カリウム、多硫化カリウム、および多硫化カルシウム；Ｈ2Ｓ、硫酸；二硫化物；二酸化硫黄；チオール；有機塩；スルファセタミドナトリウム；亜硫酸塩；およびメルカプタンからなる群の１つ以上を含む請求項３１に記載の組成物。
【請求項４１】
硫黄誘導体がスルファセタミドナトリウムを含む請求項３１に記載の組成物。
【請求項４２】
６．５〜８．１のｐＨのクレンザーを含み、そして硫黄誘導体がスルファセタミドナトリウムを含む請求項３１、３２、あるいは３３に記載の組成物。
【請求項４３】
硫黄誘導体が約１０％の範囲で存在する請求項４０に記載の組成物。
【請求項４４】
６．５〜８．１のｐＨのクレンザーを含み、そして硫黄誘導体が約１０％の範囲で存在するスルファセタミドナトリウムを含み、そして硫黄が約５％の範囲で存在する請求項３１、３２、あるいは３３に記載の組成物。
【請求項４５】
ダニがＤｅｍｏｄｅｘ属のものである請求項３１に記載の組成物。
【請求項４６】
皮膚科学的に許容し得るキャリアが水性基剤を含む請求項３１に記載の組成物。
【請求項４７】
高吸収基剤をさらに含む請求項３１に記載の組成物。
【請求項４８】
高吸収基剤が非膨潤性粘土、ガム、膨潤性粘土およびケイ素からなる群の１つ以上を含む請求項４７に記載の組成物。
【請求項４９】
非膨潤性粘土がカオリンを含む請求項４８に記載の組成物。
【請求項５０】
非膨潤性粘土が約１８．００％で存在する請求項４８に記載の組成物。
【請求項５１】
ガムがキサンタンガムを含む請求項４８に記載の組成物。
【請求項５２】
ガムが約０．３０％で存在する請求項４８に記載の組成物。
【請求項５３】
膨潤性粘土がケイ酸マグネシウムアルミウムを含む請求項４８に記載の組成物。
【請求項５４】
膨潤性粘土が約１．５０％で存在する請求項４８に記載の組成物。
【請求項５５】
ケイ素が二酸化ケイ素を含む請求項４８に記載の組成物。
【請求項５６】
ケイ素が約５．００％で存在する請求項４８に記載の組成物。
【請求項５７】
水を更に含む請求項４８に記載の組成物。
【請求項５８】
水が約４０−５０％で存在する請求項５７に記載の組成物。
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
経膣薬物処方物であって、膣への投与のための薬学的に受容可能なキャリヤ中に、泌尿生殖器系の疾患または障害からの軽減を提供するに有効な量の非ステロイド系薬物を含む、処方物。
【請求項２】
前記薬物が、薬学的に受容可能なキャリヤ中に懸濁されている、請求項１に記載の薬物処方物。
【請求項３】
前記薬物が、水性溶液中に可溶性である、請求項１に記載の薬物処方物。
【請求項４】
前記薬物が、水性溶液中に不溶性であり、かつミクロ粒子またはナノ粒子の形態にある、請求項１に記載の薬物処方物。
【請求項５】
前記キャリヤが、錠剤、溶液、乾燥粉末、局所軟膏、クリーム、泡沫、座薬、小卵、およびエアロゾルからなる群から選択される、請求項１に記載の薬物処方物。
【請求項６】
前記薬物が、α−アドレナリン作動性アゴニストおよび抗ムスカリン剤からなる群から選択される、請求項１に記載の薬物処方物。
【請求項７】
プロゲスチン、エストロゲン、抗エストロゲンおよび抗プロゲスチンからなる群から選択されるステロイドをさらに含む、請求項６に記載の薬物処方物。
【請求項８】
前記抗ムスカリン剤が、酒石酸トルテロジン、プロパンテリン、および塩酸オキシブチニンからなる群から選択される、請求項６に記載の薬物処方物。
【請求項９】
尿失禁を処置するに有効な投薬量の請求項１に記載の薬物処方物。
【請求項１０】
前記薬物が、１日に２回投与されるように処方される、請求項１に記載の薬物処方物。
【請求項１１】
前記障害が尿失禁であり、そして前記薬物が抗ムスカリン剤である、請求項１０に記載の薬物処方物。
【手続補正２】
【補正対象書類名】図面
【補正対象項目名】全図
【補正方法】変更
【補正の内容】
【図１Ａ】
2005513080.tif 000001
【図１Ｂ】
2005513080.tif 000002
【図１Ｃ】
2005513080.tif 000003
【図２Ａ】
2005513080.tif 000004
【図２Ｂ】
2005513080.tif 000005
【図２Ｃ】
2005513080.tif 000006
【図３】
2005513080.tif 000007
【図４】
2005513080.tif 000008
【図５】
2005513080.tif 000009
【図６】
2005513080.tif 000010
【図７】
2005513080.tif 000011
【図８】
2005513080.tif 000012
【図９】
2005513080.tif 000013
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
高濃縮された、流動性を有する真珠光沢剤濃縮物であって、
（ａ）２０〜４５重量％の真珠光沢ワックス、
（ｂ）０．１〜６重量％のアニオン性界面活性剤、
（ｃ）０．１〜８重量％のポリオールエステル群から選ばれるノニオン性乳化剤、
［但し、示された量は、水と必要に応じて他の助剤及び添加剤により合計１００重量％となり、真珠光沢ワックス（ａ）とポリオールエステル群から選ばれるノニオン性乳化剤（ｃ）の量比は１２：１〜７：１の範囲であり、ポリオールエステルとアニオン性界面活性剤の量比は２：１〜０．８：１の範囲である］
を含有する濃縮物。
【請求項２】
成分（ａ）として、アルキレングリコールエステル、脂肪酸アルカノールアミド、部分グリセリド、多塩基性、場合によりヒドロキシ置換カルボン酸のエステル、脂肪アルコール、脂肪酸、脂肪ケトン、脂肪アルデヒド、脂肪エーテル、炭酸脂肪、オレフィンエポキシドの開環生成物、並びにそれらの混合物よりなる群から選択される真珠光沢ワックスを含有することを特徴とする請求項１に記載の濃縮物。
【請求項３】
成分（ｂ）として、石鹸、アルキルベンゼンスルホネート、アルカンスルホネート、オレフィンスルホネート、アルキルエーテルスルホネート、グリセロールエーテルスルホネート、α−メチルエステルスルホネート、スルホ脂肪酸、アルキルスルフェート、脂肪アルコールエーテルスルフェート、グリセロールエーテルスルフェート、脂肪酸エーテルスルフェート、ヒドロキシ混合エーテルスルフェート、モノグリセリド（エーテル）スルフェート、脂肪酸アミド（エーテル）スルフェート、モノおよびジアルキルスルホスクシネート、モノおよびジアルキルスルホスクシナメート、スルホトリグリセリド、アミド石鹸、エーテルカルボン酸およびその塩、脂肪酸イセチオネート、脂肪酸サルコシネート、脂肪酸タウリド、Ｎ−アシルアミノ酸、アルキルオリゴグルコシドスルフェート、タンパク質脂肪酸縮合物、並びにアルキル（エーテル）ホスフェートよりなる群から選択されるアニオン性界面活性剤を含有することを特徴とする請求項１又は２に記載の濃縮物。
【請求項４】
成分（ｂ）として、アルキルエーテルスルフェートを含有することを特徴とする請求項１〜３のいずれかに記載の濃縮物。
【請求項５】
脂肪アルコールエトキシレートを含有しないことを特徴とする請求項１〜４のいずれかに記載の濃縮物。
【請求項６】
成分（ｃ）として、グリセロール及び／又はソルビタンと、炭素数１２〜２２の飽和及び／又は不飽和、直鎖又は分枝状脂肪酸及び／又は炭素数３〜１８のヒドロキシカルボン酸との部分エステル並びにそれらのエチレンオキシド１〜３０モル付加物；ポリグリセロール、ポリエチレングリコール、トリメチロールプロパン、ペンタエリスリトール、アルキルグルコシド及びポリグルコシドと、炭素数１２〜２２の飽和及び／又は不飽和、直鎖又は分枝状脂肪酸及び／又は炭素数３〜１８のヒドロキシカルボン酸との部分エステル並びにそれらのエチレンオキシド１〜３０モル付加物；ペンタエリスリトール、脂肪酸、クエン酸及び脂肪アルコールの混合エステル、及び／又は炭素数６〜２２の脂肪酸、メチルグルコース及びポリオールの混合エステル、並びにそれらの混合物よりなる群から選択されるポリオールエステルを含有することを特徴とする請求項１〜５のいずれかに記載の濃縮物。
【請求項７】
ポリオールエステル（ｃ）として、エトキシル化グリセロール脂肪酸エステルを含有することを特徴とする請求項１〜６のいずれかに記載の濃縮物。
【請求項８】
任意成分（ｄ）として、アルキルベタイン、アルキルアミドベタイン、アミノプロピオネート、アミノグリシネート、イミダゾリニウムベタイン及びスルホベタインよりなる群から選択される両性又は双性イオン性界面活性剤を含有することを特徴とする請求項１〜７のいずれかに記載の濃縮物。
【請求項９】
他の任意成分（ｅ）として、ポリオールを含有することを特徴とする請求項８に記載の濃縮物。
【請求項１０】
成分（ａ）、（ｂ）及び（ｃ）の混合物を調製し、混合物の融点より１〜３０℃高い温度に加熱し、実質的に同温の水の必要量と混合し、得られた混合物を室温に冷却することを特徴とする請求項１に記載の真珠光沢剤濃縮物の製造方法。
【手続補正２】
【補正対象書類名】明細書
【補正対象項目名】００３６
【補正方法】変更
【補正の内容】
【００３６】
製造プロセス
本発明の主題である一態様において、真珠光沢剤濃縮物は、成分（ａ）、（ｂ）及び（ｃ）の混合物を調製し、これを混合物の融点を１〜３０℃超える温度に加熱し、これを実質的に同温である水の必要量と混合し、次いで混合物を室温へ冷却することによって製造される。これに代わる製造方法では、濃縮された水性界面活性剤ペーストをまず導入し、真珠光沢ワックスを加熱しながら撹拌し、続いて混合物を更に水で希釈して所要濃度としてよく、若しくは混合工程を親水性のポリマー増粘剤、例えばヒドロキシプロピルセルロース、キサンタンガムまたはCarbomer型ポリマーの存在下で行ってよい。
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
６より大きいｐＨ、１００ｓ-1の剪断速度及び２０℃において６００mPas未満の粘度、及び５未満のｐＨ及び３７℃の温度において上記粘度の少なくとも１２５％の粘度を有する液体食用組成物であって、その組成物が、
ａ．少なくとも０．０５重量％の２〜５０メトキシル化度を有するペクチン及び／又はアルギナートと、
ｂ．１００ｍｌ当たり少なくとも５ｍｇのカルシウムと、
ｃ．少なくとも０．１重量％の２〜６０の重合度を有する不消化性オリゴ糖と、
を有する組成物。
【請求項２】
０．４〜５重量％の５％〜４５％のメトキシル化度を有するペクチンを有する請求項１に記載の組成物。
【請求項３】
カルシウムが、ｐＨ７及び２０℃において１００ｍｌの（脱塩）水当たり０．１０ｇ未満の溶解度を有するカルシウム塩によって供給される請求項１又は２に記載の組成物。
【請求項４】
０．１〜１０重量％の２〜４０の重合度を有する不消化性オリゴ糖を有する請求項１から３のいずれか一項に記載の組成物。
【請求項５】
１００ｍｌ当たり０．１〜１０ｇのカルシウムを有する請求項１から４のいずれか一項に記載の組成物。
【請求項６】
オリゴ糖が、フルクタン、フルクトオリゴ糖、不消化性デキストリンガラクトオリゴ糖、キシロオリゴ糖、大豆オリゴ糖、アラビノオリゴ糖及びそれらの混合物から成る群から選択される請求項１から５のいずれか一項に記載の組成物。
【請求項７】
カルシウム塩が、リン酸カルシウム、炭酸カルシウム、硫酸カルシウム、酸化カルシウム、クエン酸カルシウム、ｐＨ７においては水に対して限定された溶解度を有するとともに５未満のｐＨにおいては可溶であるような物質で被覆されたカルシウム塩、及びこれらの混合物から成る群から選択される請求項１から６のいずれか一項に記載の組成物。
【請求項８】
５０〜９８重量％の水を有する請求項１から７のいずれか一項に記載の組成物。
【請求項９】
１００ｍｌ当たり１〜２５ｇのタンパク質を有する請求項１から８のいずれか一項に記載の組成物。
【請求項１０】
０．２〜１０重量％の脂肪を有する請求項１から９のいずれか一項に記載の組成物。
【請求項１１】
５０〜１０００ｍｌの請求項１から１４のいずれか一項に記載の組成物を有する包装された飲み物製品。
【請求項１２】
病気又は障害の治療又は予防に使用するための請求項１から１１のいずれか一項に記載の組成物。
【請求項１３】
哺乳類における体重過多の予防的治療又は治癒的治療のための方法において使用するための組成物を製造するための請求項１から１０のいずれか一項に記載の組成物の使用。
【請求項１４】
哺乳類における糖尿病ＩＩ型の治療又は予防のための方法において使用するための組成物を製造するための請求項１から１０のいずれか一項に記載の組成物の使用。
【請求項１５】
哺乳類における刺激性満腹、特定の食後満腹のための方法において使用するための組成物を製造するための請求項１から１０のいずれか一項に記載の組成物の使用。
【請求項１６】
血清コレステロールの増加の低減又は防止のための方法において使用するための組成物を製造するための請求項１から１０のいずれか一項に記載の組成物の使用。
【請求項１７】
血中インスリンレベルを低下させる方法、インスリンピークを低下させる方法、又はインスリン分泌を低下させる方法において使用するための組成物を製造するための請求項１から１０のいずれか一項に記載の組成物の使用。
【請求項１８】
組成物が、セロビオース、セロデキストリン、Ｂ-シクロデキストリン、不消化性デキストリン、ゲンチオオリゴ糖、グルコオリゴ糖、イソマルトオリゴ糖、イソマルトース、イソマルトリオース、パノース、ロイクロース、パラチノース、イソマルツロース、テアンデロース、Ｄ-アガトース、Ｄ-リキソ-ヘキスロース、ラクトスクロース、ラフィノース、スタキオース及びその他の大豆オリゴ糖を含むα-ガラクトオリゴ糖、β-ガラクトオリゴ糖、トランスガラクト-オリゴ糖、ラクツロース、４’-ガラトシルラクトース、合成ガラクトオリゴ糖、フルクタン-レバン型、１ｆ-β-フルクトフラノシルニストース、キシロオリゴ糖、ラフィノース、ラクトスクロース、アラビノオリゴ糖及びこれらの混合物から成る群から選択されるオリゴ糖を有する請求項１２から１７のいずれか一項に記載の使用。
【請求項１９】
組成物が、１-ケトース、ニストース及びフルクトシルニストースから成る群から選択されるオリゴ糖を有する請求項１２から１７のいずれか一項に記載の使用。
【請求項２０】
組成物がイヌリンを有する請求項１２から１７のいずれか一項に記載の使用。
【請求項２１】
食後の血糖レベルを低下させるための方法において使用するための組成物を製造するための請求項１から１０のいずれか一項に記載の組成物の使用であって、
その組成物は請求項１８から２０のいずれか一項に記載のオリゴ糖を有するものである使用。
【請求項２２】
方法が、有効量の組成物を哺乳類に経腸投与する段階を有する請求項１６から１８のいずれか一項に記載の使用。
【請求項２３】
液体食用組成物を調製するための混合物であって、
ａ．低メトキシル化ペクチン、アルギナート及びそれらの混合物から成る群から選択される多糖と、
ｂ．カルシウムと、
ｃ．オリゴ糖と、
を再構成可能な形態で有し、
一定分量の混合物が、請求項１から１５のいずれか一項に記載の液体食用組成物を調製するために、水、乳汁及びこれらの混合物から成る群から選択される予め測定された量の溶剤中に溶解可能であるような混合物。
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
単胃哺乳類の肥満を治療又は予防する方法、すなわち、液体食用組成物を単胃哺乳類に投与する段階を有する方法で使用するための液体食用組成物の製造における一つ又は複数の多糖類の使用であって、
その組成物は、５より大きいｐＨを有し、剪断速度１００ｓ-1及び２０℃において５０ｍＰａｓ未満の粘度を有し、ｐＨ３及び温度３７℃において前記粘度の少なくとも１２５％の粘度を有し、さらに、０〜５００ｋｃａｌ／リットルの範囲のカロリー密度を有し、また、その組成物は、
ａ．０．０１〜５重量％の範囲のペクチン及びアルギナートから成る群から選択される一つ又は複数の多糖類と、
ｂ．０．０１〜３重量％の範囲のカルシウムと、
を含有するものであることを特徴とする使用。
【請求項２】
組成物が０．０１〜１５重量％の範囲の消化できない発酵性成分をさらに含有することを特徴とする請求項１に記載の使用。
【請求項３】
消化できない発酵性成分がオリゴ糖及び／又はポリオールであることを特徴とする請求項２に記載の使用。
【請求項４】
組成物が１リットルあたり１０〜１５０ｇの範囲の消化できない水溶性発酵性繊維を含有することを特徴とする請求項１から３のいずれか一項に記載の使用。
【請求項５】
液体食用組成物が液体組成物の全重量に対して０〜１重量％の範囲のグリセリド及び／又は脂肪酸を含有することを特徴とする請求項１から４のいずれか一項に記載の使用。
【請求項６】
液体食用組成物が食料級香料をさらに含有することを特徴とする請求項１から５のいずれか一項に記載の使用。
【請求項７】
液体食用組成物が液体組成物の全重量に対して０〜３重量％の範囲の消化できる炭水化物を含有することを特徴とする請求項１から６のいずれか一項に記載の使用。
【請求項８】
液体食用組成物が剪断速度１００ｓ-1及び２０℃において２５ｍＰａｓ未満の粘度を有し、ｐＨ３における剪断速度１００ｓ-1及び３７℃において少なくとも２５０ｍＰａｓの粘度を有することを特徴とする請求項１から７のいずれか一項に記載の使用。
【請求項９】
液体食用組成物の少なくとも９６重量％がペクチン及び／又はアルギナート、カルシウム塩、水、及び、もしあれば、消化できない発酵性成分から成ることを特徴とする請求項１から８のいずれか一項に記載の使用。
【請求項１０】
単胃哺乳類がヒトであることを特徴とする請求項１から９のいずれか一項に記載の使用。
【請求項１１】
方法が５０〜２０００ｍｌの範囲の液体組成物を含有する単位投与量を投与する段階を有することを特徴とする請求項１から１０のいずれか一項に記載の使用。
【請求項１２】
組成物がさらに低カロリー甘味料をさらに含有することを特徴とする請求項１から１１のいずれか一項に記載の使用。
【請求項１３】
液体食用組成物が０．１〜２．５重量％の範囲のペクチンを含有することを特徴とする請求項１から１２のいずれか一項に記載の使用。
【請求項１４】
食欲を減らす方法における請求項１から１３のいずれか一項に記載の使用。
【請求項１５】
単胃哺乳類への投与に適した液体食用組成物であって、
５より大きいｐＨを有し、剪断速度１００ｓ-1及び２０℃において５０ｍＰａｓ未満の粘度を有し、ｐＨ３及び温度３７℃において前記粘度の少なくとも１２５％の粘度を有し、さらに、０〜５００ｋｃａｌ／リットルの範囲のカロリー密度を有し、また、
ａ．０．０１〜５重量％の範囲のペクチン及びアルギナートから成る群から選択される一つ又は複数の多糖類と、
ｂ．０．０１〜３重量％の範囲のカルシウムと、
を含有することを特徴とする液体食用組成物。
【手続補正書】
【提出日】平成17年12月20日(2005.12.20)
【手続補正１】
【補正対象書類名】特許請求の範囲
【補正対象項目名】請求項４６
【補正方法】変更
【補正の内容】
【請求項４６】
前記方法が更に、段階c)と段階b)の間にポリサッカライドを加えるための段階を含んで成る、請求項４３に記載の方法。
【手続補正２】
【補正対象書類名】特許請求の範囲
【補正対象項目名】請求項６１
【補正方法】変更
【補正の内容】
【請求項６１】
前記化粧品が、皮膚ローション、クリーム、日焼け止め、ブラシ、マスカラ、アイシャドウ、シャンプーおよびコンディショナーからなる群から選択されている、請求項６０に記載の使用。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
高濃縮された、流動性を有する真珠光沢剤濃縮物であって、
（ａ）  ３０〜５５重量％の真珠光沢ワックス、
（ｂ）  ２５重量％未満のノニオン性乳化剤群および任意に双性イオン性乳化剤群から選ばれる乳化剤、
（ｃ）  ０．１〜５重量％のポリオールエステル、
［但し、示された量は、水と必要に応じて他の助剤及び添加剤により合計１００重量％となり、成分（ａ）、（ｂ）及び（ｃ）の合計は少なくとも５５重量％であり、ノニオン性乳化剤とポリオールエステルの量比は５：１〜１０：１の範囲である。］
を含有する濃縮物。
【請求項２】
成分（ａ）として、アルキレングリコールエステル、脂肪酸アルカノールアミド、部分グリセリド、多塩基性の、場合によりヒドロキシ置換されたカルボン酸のエステル、脂肪アルコール、脂肪酸、脂肪ケトン、脂肪アルデヒド、脂肪エーテル、炭酸脂肪、オレフィンエポキシドの開環生成物、並びにそれらの混合物よりなる群から選択される真珠光沢ワックスを含有することを特徴とする請求項１に記載の濃縮物。
【請求項３】
成分（ｂ）として、直鎖Ｃ８−２２脂肪アルコール、Ｃ１２-２２脂肪酸、アルキル基の炭素数８〜１５のアルキルフェノール及びアルキル基の炭素数８〜２２のアルキルアミンのエチレンオキシド２〜３０モル及び／又はプロピレンオキシド０〜５モル付加物；アルキル基の炭素数８〜２２のアルキルモノ及びオリゴグリコシド及びそのエトキシル化類似体；ヒマシ油および／または水素化ヒマシ油のエチレンオキシド１〜１５モル又は１５〜６０モル付加物；モノ−、ジ−およびトリアルキルホスフェート、およびモノ−、ジ−および／またはトリ−ＰＥＧ−アルキルホスフェート、並びにそれらの塩；羊毛ワックスアルコール；ポリシロキサン／ポリアルキルポリエーテルコポリマー及び相当する誘導体；ポリアルキレングリコール及びグリセロールカーボネートよりなる群から選択されるノニオン性界面活性剤を含有することを特徴とする請求項１または２に記載の濃縮物。
【請求項４】
成分（ｂ）として、脂肪アルコールエトキシレートを含有することを特徴とする請求項１〜３のいずれかに記載の濃縮物。
【請求項５】
真珠光沢ワックスと乳化剤の量比は、７：１〜２：１の範囲であることを特徴とする請求項１〜４のいずれかに記載の濃縮物。
【請求項６】
成分（ｃ）として、グリセロール及び／又はソルビタンと、炭素数１２〜２２の飽和及び／又は不飽和、直鎖又は分枝状脂肪酸及び／又は炭素数３〜１８のヒドロキシカルボン酸との部分エステル並びにそれらのエチレンオキシド１〜３０モル付加物；ポリグリセロール、ポリエチレングリコール、トリメチロールプロパン、ペンタエリスリトール、アルキルグルコシド及びポリグルコシドと、炭素数１２〜２２の飽和及び／又は不飽和、直鎖又は分枝状脂肪酸及び／又は炭素数３〜１８のヒドロキシカルボン酸との部分エステル並びにそれらのエチレンオキシド１〜３０モル付加物；ペンタエリスリトール、脂肪酸、クエン酸及び脂肪アルコールの混合エステル、及び／又は炭素数６〜２２の脂肪酸、メチルグルコース及びポリオールの混合エステル、並びにそれらの混合物よりなる群から選択されるポリオールエステルを含有することを特徴とする請求項１〜５のいずれかに記載の濃縮物。
【請求項７】
ポリオールエステル（ｃ）として、エトキシル化グリセロール脂肪酸エステルを含有することを特徴とする請求項１〜６のいずれかに記載の濃縮物。
【請求項８】
任意成分（ｂ）として、アルキルベタイン、アルキルアミドベタイン、アミノプロピオネート、アミノグリシネート、イミダゾリニウムベタイン及びスルホベタインよりなる群から選択される双性イオン性界面活性剤を含有することを特徴とする請求項１〜７のいずれかに記載の濃縮物。
【請求項９】
他の任意成分（ｄ）として、ポリオールを含有することを特徴とする請求項８に記載の濃縮物。
【請求項１０】
成分（ａ）、（ｂ）及び（ｃ）の混合物を調製し、混合物の融点より１〜３０℃高い温度に加熱し、実質的に同温の水の必要量と混合し、得られた混合物を室温に冷却することを特徴とする請求項１に記載の真珠光沢剤濃縮物の製造方法。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】変更
【補正の内容】
【０００７】
本発明は、高濃縮された、流動性を有する真珠光沢剤濃縮物であって、
（ａ）  ３０〜５５重量％の真珠光沢ワックス、
（ｂ）  ２５重量％未満のノニオン性乳化剤群および任意に双性イオン性乳化剤群から選ばれる乳化剤、
（ｃ）  ０．１〜５重量％のポリオールエステル、
［但し、示された量は、水と必要に応じて他の助剤及び添加剤により合計１００重量％となり、成分（ａ）、（ｂ）及び（ｃ）の合計は少なくとも５５重量％であり、ノニオン性乳化剤とポリオールエステルの量比は５：１〜１０：１の範囲である。］
を含有する濃縮物に関する。
【手続補正４】
【補正対象書類名】明細書
【補正対象項目名】００３８
【補正方法】変更
【補正の内容】
【００３８】
製造プロセス
本発明の主題である一態様において、真珠光沢剤濃縮物は、成分（ａ）、（ｂ）及び（ｃ）の混合物を調製し、これを混合物の融点を１〜３０℃超える温度に加熱し、これを実質的に同温である水の必要量と混合し、次いで混合物を室温へ冷却することによって製造される。これに代わる製造方法では、濃縮された水性界面活性剤ペーストをまず導入し、真珠光沢ワックスを加熱しながら撹拌し、続いて混合物を更に水で希釈して所要濃度としてよく、若しくは混合工程を親水性のポリマー増粘剤、例えばヒドロキシプロピルセルロース、キサンタンガムまたはCarbomer型ポリマーの存在下で行ってよい。
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
式（Ｉ）によって表されるプロスタグランジン（ＰＧ）アナログおよび／またはその互変異性体、および医薬上好適な賦形剤を含むヒト患者における便秘の軽減または予防に使用する用量単位であって、該ＰＧアナログを約６−９６μｇの範囲で含有する用量単位：
【化１】
2005513014.tif 000001
［式中、Ａ１およびＡ２は同一であっても異なっていてもよいハロゲン原子、および、
Ｂは、−ＣＯＯＨであり、その医薬上許容される塩、エステルまたはアミドを含む］。
【請求項２】
ＰＧアナログが式（Ｉ）の単環式互変異性体である、請求項１の用量単位。
【請求項３】
ＰＧアナログが約２４−７２μｇの範囲で存在する、請求項１の用量単位。
【請求項４】
ＰＧアナログが約２４−６０μｇの範囲で存在する、請求項３の用量単位。
【請求項５】
ＰＧアナログが約４８μｇ存在する、請求項４の用量単位。
【請求項６】
医薬上好適な賦形剤が経口的に許容されるものである、請求項１の用量単位。
【請求項７】
医薬上好適な賦形剤が中鎖脂肪酸である、請求項１の用量単位。
【請求項８】
Ａ１およびＡ２がフッ素原子である、請求項１の用量単位。
【請求項９】
Ｂが−ＣＯＯＨである、請求項８の用量単位。
【手続補正書】
【提出日】平成17年11月11日(2005.11.11)
【手続補正１】
【補正対象書類名】明細書
【補正対象項目名】０００８
【補正方法】変更
【補正の内容】
【０００８】
本発明は、式(Ｉ)：
【化１】
2005513017.tif 000001
[式中、
Ｒ１は、フェニル｛ハロ、ヒドロキシ、ニトロ、Ｓ(Ｏ)ｋ(Ｃ１−６アルキル)、Ｓ(Ｏ)２ＮＨ２、Ｓ(Ｏ)２ＮＨ(Ｃ１−６アルキル)、Ｓ(Ｏ)２Ｎ(Ｃ１−６アルキル)２、シアノ、Ｃ１−６アルキル、Ｃ１−６アルコキシ、ＮＨ２、ＮＨ(Ｃ１−６アルキル)、Ｎ(Ｃ１−６アルキル)２、Ｃ(Ｏ)ＮＨ２、Ｃ(Ｏ)ＮＨ(Ｃ１−６アルキル)、Ｃ(Ｏ)Ｎ(Ｃ１−６アルキル)２、Ｃ(Ｏ)[Ｎ結合複素環]、ＣＯ２Ｈ、ＣＯ２(Ｃ１−６アルキル)、ＮＨＣ(Ｏ)(Ｃ１−６アルキル)、ＮＨＣ(Ｏ)Ｏ(Ｃ１−６アルキル)、ＮＨＳ(Ｏ)２(Ｃ１−６アルキル)、Ｃ(Ｏ)(Ｃ１−６アルキル)、ＣＦ３、ＯＣＦ３、フェニル、ヘテロアリール、(Ｃ１−４アルキル)フェニル、(Ｃ１−４アルキル)ヘテロアリール、ＮＨＣ(Ｏ)フェニル、ＮＨＣ(Ｏ)ヘテロアリール、ＮＨＣ(Ｏ)(Ｃ１−４アルキル)フェニル、ＮＨＣ(Ｏ)(Ｃ１−４アルキル)ヘテロアリール、ＮＨＳ(Ｏ)２フェニル、ＮＨＳ(Ｏ)２ヘテロアリール、ＮＨＳ(Ｏ)２(Ｃ１−４アルキル)フェニル、ＮＨＳ(Ｏ)２(Ｃ１−４アルキル)ヘテロアリール、ＮＨＣ(Ｏ)ＮＨ(Ｃ１−６アルキル)、ＮＨＣ(Ｏ)ＮＨ(Ｃ３−７シクロアルキル)、ＮＨＣ(Ｏ)ＮＨフェニル、ＮＨＣ(Ｏ)ＮＨヘテロアリール、ＮＨＣ(Ｏ)ＮＨ(Ｃ１−４アルキル)フェニル、またはＮＨＣ(Ｏ)ＮＨ(Ｃ１−４アルキル)ヘテロアリールによってパラ位置換されており；ここで、前述のフェニルおよびヘテロアリールは、ハロ、ヒドロキシ、ニトロ、Ｓ(Ｏ)ｋ(Ｃ１−４アルキル)、Ｓ(Ｏ)２ＮＨ２、Ｓ(Ｏ)２ＮＨ(Ｃ１−４アルキル)、Ｓ(Ｏ)２Ｎ(Ｃ１−４アルキル)２、シアノ、Ｃ１−４アルキル、Ｃ１−４アルコキシ、Ｃ(Ｏ)ＮＨ２、Ｃ(Ｏ)ＮＨ(Ｃ１−４アルキル)、Ｃ(Ｏ)Ｎ(Ｃ１−４アルキル)２、ＣＯ２Ｈ、ＣＯ２(Ｃ１−４アルキル)、ＮＨＣ(Ｏ)(Ｃ１−４アルキル)、ＮＨＳ(Ｏ)２(Ｃ１−４アルキル)、Ｃ(Ｏ)(Ｃ１−４アルキル)、ＣＦ３、またはＯＣＦ３によって、所望により置換されている｝であり；
Ｒ２は、フェニルまたはヘテロアリールであって、それぞれは、ハロ、Ｃ１−４アルキル、Ｃ１−４アルコキシ、Ｓ(Ｏ)ｎ(Ｃ１−４アルキル)、ニトロ、シアノ、またはＣＦ３によって、所望により置換されており；
Ｒ３は、水素またはＣ１−４アルキルであり；
Ｒ４は、エチル、アリル、またはシクロプロピルであり；
Ｒ５は、水素、ハロ、ヒドロキシ、ニトロ、Ｓ(Ｏ)ｍ(Ｃ１−４アルキル)、Ｓ(Ｏ)２ＮＨ２、Ｓ(Ｏ)２ＮＨ(Ｃ１−４アルキル)、Ｓ(Ｏ)２Ｎ(Ｃ１−４アルキル)２、シアノ、Ｃ１−４アルキル、Ｃ１−４アルコキシ、Ｃ(Ｏ)ＮＨ２、Ｃ(Ｏ)ＮＨ(Ｃ１−４アルキル)、Ｃ(Ｏ)Ｎ(Ｃ１−４アルキル)２、ＣＯ２Ｈ、ＣＯ２(Ｃ１−４アルキル)、ＮＨＣ(Ｏ)(Ｃ１−４アルキル)、ＮＨＳ(Ｏ)２(Ｃ１−４アルキル)、Ｃ(Ｏ)(Ｃ１−４アルキル)、ＣＦ３、またはＯＣＦ３であり；
Ｒ６は、Ｃ１−４アルキルであり；
ｋ、ｍ、およびｎは、独立に、０、１、または２であり； 
ただし
・Ｒ３とＲ５が共に水素であり、Ｒ４がエチルであり、Ｒ６がパラ−(Ｓ(Ｏ)２ＣＨ３)であり、かつＲ２が非置換フェニルである場合、Ｒ１はパラ−メトキシ−フェニル、パラ−メチル−フェニル、パラ−トリフルオロメチル−フェニル、または３,４−ジクロロフェニルではなく；
・Ｒ３とＲ５が共に水素であり、Ｒ４がエチルであり、Ｒ６がパラ−(Ｓ(Ｏ)２ＣＨ３)であり、かつＲ２が非置換フェニル、ピリド−２−イル、またはピリド−４−イルである場合、Ｒ１はパラ−クロロ−フェニルではなく；そして
・Ｒ３とＲ５が共に水素であり、Ｒ６がパラ−(Ｓ(Ｏ)２ＣＨ３)であり、かつＲ２がメタ−クロロ−フェニル、非置換フェニル、またはチオフェン−３−イルである場合、Ｒ１はパラ−フルオロ−フェニルではない]の化合物、またはその薬学的に許容される塩もしくはその溶媒和物を提供する。
【手続補正２】
【補正対象書類名】明細書
【補正対象項目名】００５０
【補正方法】変更
【補正の内容】
【００５０】
本発明はまた、医薬として、特にリウマチ性関節炎の処置のための医薬として使用するための、本発明の化合物またはその薬学的に許容される塩もしくは溶媒和物を提供する。
別の態様において、本発明は、治療(例えばケモカイン受容体活性(特にＣＣＲ５受容体活性(特にリウマチ性関節炎))を、温血動物、例えばヒトにおいて調節する)に使用するための医薬の製造における、本発明の化合物またはその薬学的に許容される塩もしくは溶媒和物の使用を提供する。
【手続補正３】
【補正対象書類名】明細書
【補正対象項目名】００５７
【補正方法】変更
【補正の内容】
【００５７】
それぞれの患者は、例えば、０.０１mg/kgから １００mg/kgの、好ましくは０.１mg/kgから２０mg/kg の範囲の、本発明の化合物の、静脈、皮下、または筋肉の投与を受け得る。該組成物は、１日に１回から４回で投与される。静脈、皮下、および筋肉の投与は、ボラス注射の方法によって行ってもよい。あるいは、静脈への投与は、一定時間をかけて連続点滴によって行ってもよい。あるいは、それぞれの患者は、１日の非経腸投与とほぼ当量の、１日の経口投与を受ける。該組成物は、１日に１から４回で投与される。
【誤訳訂正書】
【提出日】平成18年4月3日(2006.4.3)
【誤訳訂正１】
【訂正対象書類名】特許請求の範囲
【訂正対象項目名】請求項１
【訂正方法】変更
【訂正の内容】
【請求項１】
求核試薬の存在下にアニオン重合によって重合可能な少なくとも一つの以下の式のモノマーから選択するモノマーを化粧品として受容可能な媒体中に含む無水組成物の毛髪処置のための使用：
2005513087.tif 000001
式中：
Ｒ1及びＲ2は、相互に独立に、以下から選択する基を意味する：
−  水素原子、
−  飽和又は不飽和の、直鎖、分岐した又は環状の炭化水素を主体とする基、該基は４〜２０の炭素原子を含み、かつ一又は複数の窒素、酸素又は硫黄原子を含んでもよく、かつＯＲ、ＣＯＯＲ、ＣＯＲ、ＳＨ、ＳＲ及びＯＨから選択する一又は複数の基で置換されていてもよく、
−  有機変性したか又は有機変性していないポリシロキサン残基、
−  ポリオキシアルキレン基、
−  ＯＲ、ＣＯＯＲ、ＣＯＲ、ＳＨ、ＳＲ及びＯＨ。
Ｒ3及びＲ4は、相互に独立に、以下から選択する電子吸引性基を意味し：Ｎ(Ｒ)3+、Ｓ(Ｒ)2+、ＳＨ2+、ＮＨ3+、ＮＯ2、ＳＯ2Ｒ、Ｃ≡Ｎ、ＣＯＯＨ、Ｆ、Ｃｌ、Ｂｒ、Ｉ、ＯＲ、ＣＯＯＲ、ＣＯＲ、ＳＨ、ＳＲ及びＯＨ、直鎖又は分岐したアルケニル基、直鎖又は分岐したアルキニル基及びモノ−又はポリフルオロアルキル基、
Ｒは、Ｃ1〜Ｃ10アルキル基又はＣ1〜Ｃ10モノ−又はポリフルオロアルキル基を意味する。
【誤訳訂正２】
【訂正対象書類名】特許請求の範囲
【訂正対象項目名】請求項５
【訂正方法】変更
【訂正の内容】
【請求項５】
組成物の毛髪処置のための使用であって、該組成物が求核試薬の存在下にアニオン重合によって重合可能な少なくとも一つの以下の式のモノマーから選択するモノマーを化粧品として受容可能な無水のかつ非−吸湿性の媒体中に含むことを特徴とする使用：
2005513087.tif 000002
式中：
Ｒ1及びＲ2は、相互に独立に、以下から選択する基を意味する：
−  水素原子、
−  飽和又は不飽和の、直鎖、分岐した又は環状の炭化水素を主体とする基、該基は４〜２０の炭素原子を含み、かつ一又は複数の窒素、酸素又は硫黄原子を含んでもよく、かつＯＲ、ＣＯＯＲ、ＣＯＲ、ＳＨ、ＳＲ及びＯＨから選択する一又は複数の基で置換されていてもよく、
−  有機変性したか又は有機変性していないポリシロキサン残基、
−  ポリオキシアルキレン基、
−  ＯＲ、ＣＯＯＲ、ＣＯＲ、ＳＨ、ＳＲ及びＯＨ。
Ｒ3及びＲ4は、相互に独立に、以下から選択する電子吸引性基を意味し：Ｎ(Ｒ)3+、Ｓ(Ｒ)2+、ＳＨ2+、ＮＨ3+、ＮＯ2、ＳＯ2Ｒ、Ｃ≡Ｎ、ＣＯＯＨ、Ｆ、Ｃｌ、Ｂｒ、Ｉ、ＯＲ、ＣＯＯＲ、ＣＯＲ、ＳＨ、ＳＲ及びＯＨ、直鎖又は分岐したアルケニル基、直鎖又は分岐したアルキニル基及びモノ−又はポリフルオロアルキル基、
Ｒは、Ｃ1〜Ｃ10アルキル基又はＣ1〜Ｃ10モノ−又はポリフルオロアルキル基を意味する。
【誤訳訂正３】
【訂正対象書類名】明細書
【訂正対象項目名】０００６
【訂正方法】変更
【訂正の内容】
【０００６】
“アニオン重合”という表現は、“Advanced Organic Chemistry”、第３版、Jerry March著、１５１〜１６１頁に規定された機構を意味する。
本発明に従って特に使用されるモノマーは以下の構造のモノマーである：
2005513087.tif 000003
式中：
Ｒ1及びＲ2は、相互に独立に、電子吸引性をわずかに有するかまったく有しない基、例えば以下を意味する：
−  水素原子、
−  飽和又は不飽和の、直鎖、分岐した又は環状の炭化水素を主体とする基、該基は好ましくは４〜２０の炭素原子を含み、かつ一又は複数の窒素、酸素又は硫黄原子を含んでもよく、かつＯＲ、ＣＯＯＲ、ＣＯＲ、ＳＨ、ＳＲ及びＯＨから選択する一又は複数の基で置換されていてもよく、
−  有機変性したか又は有機変性していないポリシロキサン残基、
−  ポリオキシアルキレン基、
−  ＯＲ、ＣＯＯＲ、ＣＯＲ、ＳＨ、ＳＲ及びＯＨ。
Ｒ3及びＲ4は、相互に独立に、電子吸引性基、好ましくは以下から選択する基を意味し：Ｎ(Ｒ)3+、Ｓ(Ｒ)2+、ＳＨ2+、ＮＨ3+、ＮＯ2、ＳＯ2Ｒ、Ｃ≡Ｎ、ＣＯＯＨ、Ｆ、Ｃｌ、Ｂｒ、Ｉ、ＯＲ、ＣＯＯＲ、ＣＯＲ、ＳＨ、ＳＲ及びＯＨ、直鎖又は分岐したアルケニル基、直鎖又は分岐したアルキニル基及びモノ−又はポリフルオロアルキル基、
Ｒは、Ｃ1〜Ｃ10アルキル基又はＣ1〜Ｃ10モノ−又はポリフルオロアルキル基を意味し、アルキル基は１〜１０の炭素原子を含む。アルケニル又はアルキニル基は好ましくは２〜１０の炭素原子を含む。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
薬学的に受容可能なキャリアと組み合わせてＳＹＮ３を含み、かつ少なくとも１つの薬学的に受容可能な緩衝系をさらに含む、凍結乾燥薬学的組成物。
【請求項２】
前記組成物がさらに、少なくとも１つの薬学的に受容可能な可溶化剤を含む、請求項１に記載の凍結乾燥薬学的組成物。
【請求項３】
前記組成物がさらに、少なくとも１つの薬学的に受容可能な充填剤を含む、請求項１に記載の凍結乾燥薬学的組成物。
【請求項４】
前記組成物がさらに、発現ベクターを含み、該発現ベクターは、該ベクターに挿入された外来のＤＮＡ配列を含む、請求項１に記載の凍結乾燥薬学的組成物。
【請求項５】
前記組成物がさらに、少なくとも１つの薬学的に受容可能な可溶化剤を含む、請求項４に記載の凍結乾燥薬学的組成物。
【請求項６】
前記薬学的に受容可能なキャリアが非水性のキャリアである、請求項１に記載の凍結乾燥薬学的組成物。
【請求項７】
前記組成物がさらに、少なくとも１つの薬学的に受容可能な可溶化剤を含む、請求項６に記載の凍結乾燥薬学的組成物。
【請求項８】
前記組成物がさらに、発現ベクターを含み、該発現ベクターは、該ベクターに挿入された外来のＤＮＡ配列を含む、請求項６に記載の凍結乾燥薬学的組成物。
【請求項９】
前記組成物がさらに、少なくとも１つの薬学的に受容可能な可溶化剤を含む、請求項８に記載の凍結乾燥薬学的組成物。
【請求項１０】
前記薬学的に受容可能なキャリアが水性のキャリアである、請求項１に記載の凍結乾燥薬学的組成物。
【請求項１１】
前記組成物がさらに、少なくとも１つの薬学的に受容可能な可溶化剤を含む、請求項１０に記載の凍結乾燥薬学的組成物。
【請求項１２】
前記組成物がさらに、少なくとも１つの薬学的に受容可能な充填剤を含む、請求項１１に記載の凍結乾燥薬学的組成物。
【請求項１３】
前記組成物がさらに、発現ベクターを含み、該発現ベクターは、該ベクターに挿入された外来のＤＮＡ配列を含む、請求項１０に記載の凍結乾燥薬学的組成物。
【請求項１４】
前記組成物がさらに、少なくとも１つの薬学的に受容可能な可溶化剤を含む、請求項１３に記載の凍結乾燥薬学的組成物。
【請求項１５】
前記組成物がさらに、少なくとも１つの薬学的に受容可能な充填剤を含む、請求項１４に記載の凍結乾燥薬学的組成物。
【請求項１６】
前記少なくとも１つの薬学的に受容可能な緩衝系が、約５〜約８．５の範囲のｐＨに維持される、請求項１に記載の凍結乾燥薬学的組成物。
【請求項１７】
前記薬学的に受容可能な緩衝系が、クエン酸緩衝系を含む、請求項１６に記載の凍結乾燥薬学的組成物。
【請求項１８】
前記組成物がさらに、抗酸化剤を含む、請求項１に記載の凍結乾燥薬学的組成物。
【請求項１９】
哺乳動物における疾患を処置するための凍結乾燥薬学的組成物であって、該凍結乾燥薬学的組成物が、治療有効量のＳＹＮ３および薬学的に受容可能なキャリアを含み、かつ少なくとも１つの薬学的に受容可能な緩衝剤をさらに含む、凍結乾燥薬学的組成物。
【請求項２０】
哺乳動物における疾患を処置するための組成物であって、該組成物が、治療的有効量のＳＹＮ３および薬学的に受容可能なキャリアを含む、組成物。
【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
フルオロホルムを処理する方法であって、前記フルオロホルムとクロロジフルオロメタンの反応混合物を、６２５〜８００℃の範囲の温度、２秒未満の接触時間で連続プロセスにおいて共熱分解し、その結果、テトラフルオロエチレン（ＴＦＥ）、ヘキサフルオロプロピレン（ＨＦＰ）、ペンタフルオロエタン（ＣＦ３ＣＨＦ２）およびヘプタフルオロプロパン（ＣＦ３ＣＨＦＣＦ３）からなる群より選択される少なくとも３つの化合物を含む生成混合物を得ることによって、前記フルオロホルムを消費し、前記フルオロホルム：前記クロロジフルオロメタンの体積比が１：１０から５：１であることを特徴とする方法。
【手続補正２】
【補正対象書類名】明細書
【補正対象項目名】００４０
【補正方法】変更
【補正の内容】
【００４０】
これらの条件では、飽和化合物の収率は高いが、ＨＦＣ−２２７の収率はＨＦＣ−１２５の収率に比べさらに高くなっている。
以下に、本発明の好ましい態様を示す。
１．  フルオロホルムを処理する方法であって、前記フルオロホルムとクロロジフルオロメタンの反応混合物を、６２５〜８００℃の範囲の温度、２秒未満の接触時間で連続プロセスにおいて共熱分解し、その結果、テトラフルオロエチレン（ＴＦＥ）、ヘキサフルオロプロピレン（ＨＦＰ）、ペンタフルオロエタン（ＣＦ３ＣＨＦ２）およびヘプタフルオロプロパン（ＣＦ３ＣＨＦＣＦ３）からなる群より選択される少なくとも３つの化合物を含む生成混合物を得ることによって、前記フルオロホルムを消費し、前記フルオロホルム：前記クロロジフルオロメタンの体積比が１：１０から５：１であることを特徴とする方法。
２．  表面が金属からなる反応ゾーンを通して前記反応混合物を供給することによって行われることを特徴とする１．に記載の方法。
３．  前記金属は、金であることを特徴とする２．に記載の方法。
４．  前記ＴＦＥおよびＨＦＰの生成に対し生成されるＣＦ３ＣＨＦ２およびＣＦ３ＣＨＦＣＦ３の割合を最大にするために、前記フルオロホルム対前記クロロジフルオロメタンのモル比を、少なくとも約５：１から約２：１とすることを特徴とする１．に記載の方法。
５．  前記ＣＦ３ＣＨＦ２およびＣＦ３ＣＨＦＣＦ３の生成に対し生成されるＴＦＥおよびＨＦＰの割合を最大にするために、前記フルオロホルム対前記クロロジフルオロメタンのモル比を、約１：１以下とすることを特徴とする１．に記載の方法。
６．  パーフルオロイソブチレンの生成量が、前記化合物の全重量を基準として約５％未満であることを特徴とする１．に記載の方法。
７．  パーフルオロイソブチレンの生成量が、前記化合物の全重量を基準として約２％未満であることを特徴とする３．に記載の方法。
８．  生成混合物はフルオロホルムを含み、前記フルオロホルムを生成混合物から分離し、得られたフルオロホルムを前記反応混合物に加えることを特徴とする１．に記載の方法。
９．  生成混合物は、ＨＣＦＣ−１２４、ＨＣＦＣ−１２４ａおよびｃ３１８を含み、前記ＨＣＦＣ−１２４、ＨＣＦＣ−１２４ａおよびｃ３１８を生成混合物から分離し、得られたＨＣＦＣ−１２４、ＨＣＦＣ−１２４ａおよびｃ３１８を前記反応混合物に加えることを特徴とする１．に記載の方法。
１０．  さらに、前記フルオロホルムおよび前記クロロジフルオロメタンを、一緒に、かつ、約５００〜６００℃の予備加熱温度で、前記反応混合物に供給することを特徴とする１．に記載の方法。
１１．  さらに、前記フルオロホルムおよび前記クロロジフルオロメタンを、それぞれ約５００〜６００℃および約３００〜４５０℃の予備加熱温度で、前記反応混合物に供給することを特徴とする１．に記載の方法。
１２．  さらに、前記フルオロホルムおよび前記クロロジフルオロメタンを、それぞれ、少なくとも約８５０℃であるが前記フルオロホルムの分解温度よりも低い温度および約３００〜５５０℃の予備加熱温度で、前記反応混合物に供給することを特徴とする１．に記載の方法。
１３．  前記反応ゾーンは充填物を含むことを特徴とする２．に記載の方法。
１４．  前記充填物は、パーフルオロ化ガンマアルミナであることを特徴とする１３．に記載の方法。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
構造：
【化１】
2005513067.tif 000001
で示される化合物、又はその薬学的に許容される塩、プロドラッグ、互変異性体若しくは異性体。
【請求項２】
請求項１記載の化合物及び少なくとも１種類の薬学的に許容されるキャリアを含む医薬組成物。
【請求項３】
対象における血栓症状を治療又は予防する方法であって、該対象に構造：
【化２】
2005513067.tif 000002
で示される化合物、又はその薬学的に許容される塩、互変異性体、プロドラッグ若しくは異性体を投与することを含む、前記方法。
【請求項４】
血栓症状が、心筋梗塞、発作、一過性黒内障、大動脈弁狭窄、心臓狭窄、冠状動脈狭窄、及び肺動脈弁狭窄から成る群から選択される、請求項３記載の方法。
【請求項５】
対象における血栓形成を実質的に抑制する方法であって、構造：
【化３】
2005513067.tif 000003
で示される化合物、又はその薬学的に許容される塩、互変異性体、プロドラッグ若しくは異性体を該対象に投与することを含む、前記方法。
【請求項６】
凝固カスケードに関与する酵素を実質的に阻害する方法であって、構造：
【化４】
2005513067.tif 000004
で示される化合物、又はその薬学的に許容される塩、互変異性体、プロドラッグ又は異性体を対象に投与することを含む、前記方法。
【請求項７】
酵素がセリン・プロテアーゼである、請求項６記載の方法。
【請求項８】
セリン・プロテアーゼがＴＦ／ＶＩＩａ複合体の一部である、請求項７記載の方法。
【請求項９】
請求項１記載の化合物、又はその薬学的に許容される塩、互変異性体、プロドラッグ若しくは異性体、及び血栓溶解剤を含む、組成物。
【請求項１０】
血栓溶解剤が、抗血小板剤、抗凝固剤及び心血管薬から成る群から選択される、請求項９記載の組成物。
【請求項１１】
抗血小板剤が、サリチレート化合物、チクロピジン、クロピドロゲル及びＧＰ  ＩＩａ／ＩＩＩａ阻害剤から成る群から選択される、請求項１０記載の組成物。
【請求項１２】
対象における血栓症状を治療又は予防する方法であって、該対象に請求項１記載の化合物又はその薬学的に許容される塩、プロドラッグ、互変異性体若しくは異性体、及び血栓溶解剤を投与することを含む、前記方法。
【請求項１３】
血栓溶解剤が抗血小板剤、抗凝固剤及び心血管薬から成る群から選択される、請求項１２記載の方法。
【請求項１４】
抗血小板剤が、サリチレート化合物、チクロピジン、クロピドロゲル及びＧＰ  ＩＩａ／ＩＩＩａ阻害剤から成る群から選択される、請求項１３記載の方法。
【請求項１５】
請求項１記載の化合物及び血栓溶解剤が、実質的に同時に投与されるか又は逐次的に投与される、請求項１２記載の方法。